(57)【要約】【課題】トータリゼータシステムにおいて投票端末での購入手続きをスムーズに行う。【解決手段】事前投票確認端末２では、ファンが記入した投票カードを読み込み、１つのみ選択すべき記入欄での複数選択や記入すべき記入欄での未記載をチェックし、問題がなければ、投票データを投票サーバ１に送信する。投票サーバは、投票データの有効／無効をチェックし、有効なら、その投票データに関連付けた予約番号のＱＲデータを生成して事前投票確認端末２に送り返す。事前投票確認端末２は、ＱＲデータを印刷したＱＲ券を発券する。ユーザがＱＲ券を投票端末３のＱＲ読取ユニットにかざすと、ＱＲデータから予約番号が読み取られ、投票サーバ１に送信される。投票サーバ１では、予約番号に関連付けた投票データを投票端末３に送信し、投票端末３は、投票データを印刷した投票券を発券する。これにより、投票端末３の接客時間が短縮される。【選択図】図１
2019095824.tif 000002
【特許請求の範囲】
【請求項１】
投票サーバと、事前投票確認端末と、投票端末とを備え、
前記投票サーバは、
前記事前投票確認端末から公営競技の投票券を購入する際に使用する投票カードに記入された投票データを受信した場合に前記投票データの有効性をチェックし、
前記投票データが無効の場合に前記投票データの無効を前記事前投票確認端末に送信し、前記投票データが有効の場合には前記投票データに関連付けした予約番号の二次元コードデータを生成して前記事前投票確認端末に送信し、
前記投票端末から前記二次元コードデータを読み取った予約確認データを受信した場合に前記予約確認データに相当する前記予約番号に関連付けられた前記投票データを前記投票端末に送信し、
前記事前投票確認端末は、
前記投票カードを読み込んで前記投票データのチェックを行い、
前記投票データの記入ミスがあった場合に記入ミス箇所の通知と前記投票カードの返却とを行い、前記投票データの記入ミスがない場合に前記投票データを前記投票サーバに送信し、
前記投票サーバから前記投票データが無効であった旨の通知があった場合に前記投票カードの返却を行い、前記投票サーバから前記二次元コードデータを受信した場合には前記二次元コードデータを紙媒体に印刷して二次元コードデータ券を発券し、
前記投票端末は、
前記二次元コードデータ券を読み取って前記予約確認データを取得し、
取得した前記予約確認データを前記投票サーバに送信し、
前記投票サーバから前記予約確認データに相当する前記予約番号に関連付けられた前記投票データを受信した場合に前記投票データを紙媒体に印刷した前記投票券を発券する、
トータリゼータシステム。
【請求項２】
前記事前投票確認端末は、ディスプレイを有し、前記投票データの記入ミスがあった場合または前記投票サーバから前記投票データの無効が通知された場合に前記記入ミス箇所または無効であった旨のメッセージを前記ディスプレイに表示させる、請求項１記載のトータリゼータシステム。
【請求項３】
前記投票サーバは、記憶装置を有し、前記事前投票確認端末から受信した前記投票データと前記投票データに関連付けした予約番号とを前記記憶装置に記憶し、前記投票端末から前記二次元コードデータを読み取った前記予約確認データを受信した場合に前記予約確認データと前記記憶装置に記憶された前記予約番号とを照合し、前記予約確認データに一致した前記予約番号に関連付けられた前記投票データを前記投票端末に送信する、請求項１記載のトータリゼータシステム。
【請求項４】
事前投票確認端末が公営競技の投票券を購入する際に使用する投票カードを読み込んで前記投票カードに記入された投票データのチェックを行い、
前記事前投票確認端末が前記投票データの記入ミスがあった場合に記入ミス箇所の通知と前記投票カードの返却を行い、前記投票データの記入ミスがない場合には前記投票データを投票サーバに送信し、
前記投票サーバが前記事前投票確認端末から受信した前記投票データの有効性をチェックし、
前記投票サーバが前記投票データの無効を判断した場合に前記投票データの無効を前記事前投票確認端末に送信し、前記投票データが有効の場合には前記投票データに関連付けした予約番号の二次元コードデータを生成して前記事前投票確認端末に送信し、
前記事前投票確認端末が前記投票サーバから前記投票データの無効の通知を受信した場合に前記投票カードの返却を行い、前記投票サーバから前記二次元コードデータを受信した場合には前記二次元コードデータを紙媒体に印刷して二次元コードデータ券を発券し、
投票端末が前記二次元コードデータ券を読み取って予約確認データを取得し、
前記投票端末が取得した前記予約確認データを前記投票サーバに送信し、
前記投票サーバが前記投票端末から前記予約確認データを受信した場合に前記予約確認データに相当する前記予約番号に関連付けられた前記投票データを前記投票端末に送信し、
前記投票端末が前記投票サーバから前記投票データを受信した場合に前記投票データを紙媒体に印刷して投票券を発券する、
投票券発券方法。
【発明の詳細な説明】
【技術分野】
【０００１】
本発明は、公営競技である競馬、競輪、競艇およびオートレースにおいて、競技対象がゴールに到着する着順を予想した投票券を発売するトータリゼータシステムおよび投票券発券方法に関する。
【背景技術】
【０００２】
公営競技では、来場者（以下、ファンと表記する）は、場内外に設置された投票端末を用いて投票券を購入する。このとき、ファンは、投票端末に現金を投入するとともに、投票対象の投票データをマークした投票カードを投入することで投票券を購入するが、そのときの処理の流れを以下に説明する。
【０００３】
図１０はファンが投票券を購入するまでの処理の流れを示したフローである。
この図１０に示した処理フローによれば、まず、ファンは、投票カードに所望の場名、レース番号、式別などの投票データを記入し（ステップＳ０１）、その投票カードを投票端末に挿入する（ステップＳ０２）。
【０００４】
投票端末は、挿入された投票カードを読み取り、投票カードに記入された内容をチェックする（ステップＳ０３）。ここで、投票カードに記入された内容に誤りがある場合、たとえば、場名にレースが開催されていない競技場名が記載されていたり、または、競技場名の記載がなかったりした場合（問題ありの場合）、投票端末は、その投票カードを排出し、ファンに返却する。この場合、ファンは、記入ミスを修正して、再度、投票端末に修正された投票カードを投票端末に挿入することになる。
【０００５】
記載内容のチェックで問題がない場合、投票端末は、投票データを投票サーバに送信する（ステップＳ０４）。投票サーバは、投票端末から受けた投票データを確認し（ステップＳ０５）、投票結果を投票端末に送信する（ステップＳ０６）。
【０００６】
投票端末は、投票サーバから投票結果を受けて投票券を発券する（ステップＳ０７）。そして、ファンは、投票端末によって発券された投票券を受け取ることになる（ステップＳ０８）。
【０００７】
投票券を購入することができる投票端末は、場内外に複数台設置されており、人気レースの開催時には多くのファンがそれぞれの投票端末に並んで購入している。このようなときに、投票カードに記入ミスがあって返却されるようなことがあると、ファンは、その場で投票カードを修正することが多く、その場を離れて投票カードの修正後に並び直しをして、再度購入手続きをする、ということはほとんどない。そのため、そのユーザの後ろに並んでいるファンは、待つことになるので、たちまち長蛇の列ができてしまう。特に、発売締め切りの間際には、ファンが投票端末に殺到するため、場合によっては、投票券を購入し損なう場合もある。このため、各ユーザがスムーズに投票券を購入することができるような対策を講じる必要がある。
【０００８】
ユーザがスムーズに投票券を購入できない主な要因は、投票カードの記入ミスによる修正作業であることから、投票端末で投票券を購入する時点で投票カードに記入ミスがないようにしておくことが要求される。
【０００９】
このような要求に対して、投票券を購入する前に投票券購入内容が正しいかどうかをあらかじめチェックし、正しい場合に投票券購入データを投票端末に送出する技術が知られている（たとえば、特許文献１参照）。
【先行技術文献】
【特許文献】
【００１０】
【特許文献１】特開２００１−２０９７４８号公報
【発明の概要】
【発明が解決しようとする課題】
【００１１】
しかしながら、特許文献１に記載のような技術では、投票券購入内容が正しいかどうかをチェックするだけであり、その内容チェックによって投票端末での投票券の購入がスムーズに行われるわけではない。
【００１２】
本発明はこのような点に鑑みてなされたものであり、投票端末での購入手続きをスムーズに行うことができるトータリゼータシステムおよび投票券発券方法を提供することを目的とする。
【課題を解決するための手段】
【００１３】
本発明では、上記の課題を解決するために、投票サーバと、事前投票確認端末と、投票端末とを備えたトータリゼータシステムが提供される。このトータリゼータシステムでは、投票サーバは、事前投票確認端末から公営競技の投票券を購入する際に使用する投票カードに記入された投票データを受信した場合に投票データの有効性をチェックし、投票データが無効の場合に投票データの無効を事前投票確認端末に送信し、投票データが有効の場合には投票データに関連付けした予約番号の二次元コードデータを生成して事前投票確認端末に送信し、投票端末から二次元コードデータを読み取った予約確認データを受信した場合に予約確認データに相当する予約番号に関連付けられた投票データを投票端末に送信する。事前投票確認端末は、投票カードを読み込んで投票データのチェックを行い、投票データの記入ミスがあった場合に記入ミス箇所の通知と投票カードの返却とを行い、投票データの記入ミスがない場合に投票データを投票サーバに送信し、投票サーバから投票データが無効であった旨の通知があった場合に投票カードの返却を行い、投票サーバから二次元コードデータを受信した場合には二次元コードデータを紙媒体に印刷して二次元コードデータ券を発券する。投票端末では、二次元コードデータ券を読み取って予約確認データを取得し、取得した予約確認データを投票サーバに送信し、投票サーバから予約確認データに相当する予約番号に関連付けられた投票データを受信した場合に投票データを紙媒体に印刷した投票券を発券する。
【００１４】
本発明は、また、投票券発券方法が提供される。この投票券発券方法では、事前投票確認端末が公営競技の投票券を購入する際に使用する投票カードを読み込んで投票カードに記入された投票データのチェックを行い、投票データの記入ミスがあった場合に記入ミス箇所の通知と投票カードの返却を行い、投票データの記入ミスがない場合には投票データを投票サーバに送信する。次に、投票サーバは、事前投票確認端末から受信した投票データの有効性をチェックし、投票サーバが投票データの無効を判断した場合に投票データの無効を事前投票確認端末に送信し、投票データが有効の場合には投票データに関連付けした予約番号の二次元コードデータを生成して事前投票確認端末に送信する。次に、事前投票確認端末は、投票サーバから投票データの無効の通知を受信した場合に投票カードの返却を行い、投票サーバから二次元コードデータを受信した場合には二次元コードデータを紙媒体に印刷して二次元コードデータ券を発券する。次に、投票端末が二次元コードデータ券を読み取って予約確認データを取得し、取得した予約確認データを投票サーバに送信する。次に、投票サーバは、投票端末から予約確認データを受信した場合に予約確認データに相当する予約番号に関連付けられた投票データを投票端末に送信する。そして、投票端末は、投票サーバから投票データを受信した場合に投票データを紙媒体に印刷して投票券を発券する。
【発明の効果】
【００１５】
上記構成のトータリゼータシステムおよび投票券発券方法は、投票データを事前投票確認端末および投票サーバで事前チェックしているので、投票券の発券時における投票端末の接客時間が最小になり、投票券の購入をスムーズに行うことができるという利点がある。
【図面の簡単な説明】
【００１６】
【図１】本発明の実施の形態に係るトータリゼータシステムを示す図である。
【図２】投票サーバのハードウェア構成例を示す図である。
【図３】事前投票確認端末のハードウェア構成例を示す図である。
【図４】事前投票確認端末の外装イメージの図である。
【図５】投票端末のハードウェア構成例を示す図である。
【図６】投票端末の外装イメージの図である。
【図７】投票カードの記入例を示す図であって、（Ａ）は記入ミスがなく記入された投票カードの例を示し、（Ｂ）は記入ミスのある投票カードの例を示している。
【図８】トータリゼータシステムが投票券を発売するまでの処理の流れを示したフローである。
【図９】電文項目の例であって、（Ａ）はＱＲデータ生成用投票データの例を示し、（Ｂ）は予約済ＱＲデータの例を示し、（Ｃ）は予約確認データの例を示している。
【図１０】ファンが投票券を購入するまでの処理の流れを示したフローである。
【発明を実施するための形態】
【００１７】
以下、本発明の実施の形態について、競馬の勝馬投票券を販売する場合を例に図面を参照して説明するが、本発明は、競馬に限定されるものではなく、競輪、競艇およびオートレースにおいても同様に適用することができるものである。
【００１８】
図１は本発明の実施の形態に係るトータリゼータシステムを示す図である。
トータリゼータシステムは、投票サーバ１と、事前投票確認端末２と、投票端末３とを備え、投票サーバ１、事前投票確認端末２および投票端末３は、ネットワークを介して、たとえばハブ４によって相互に通信可能に接続されている。投票サーバ１は、全国の競馬場の情報を管理するセンタに設置されている。事前投票確認端末２および投票端末３は、競馬場の内外に複数備えられている。事前投票確認端末２は、投票端末３の設置場所の近くにおいて、ユーザが投票カードの記入を行う記載台５の上に設置されている。これにより、ユーザは、記載台５で投票カードの記入をして直ちに投票カードの記入内容を事前投票確認端末２でチェックをすることができる。
【００１９】
図２は投票サーバのハードウェア構成例を示す図である。
投票サーバ１は、たとえば複数台のコンピュータ１０によって構成される。それぞれのコンピュータ１０は、ＣＰＵ（Central Processing Unit）１１を有し、このＣＰＵ１１によってコンピュータ１０の全体が制御されている。ＣＰＵ１１には、バス１５を介してＲＡＭ（Random Access Memory）１２と複数の周辺機器が接続されている。
【００２０】
ＲＡＭ１２は、コンピュータ１０の主記憶装置として使用される。ＲＡＭ１２には、ＣＰＵ１１に実行させるＯＳ（Operating System）のプログラムやアプリケーションプログラムの少なくとも一部が一時的に格納される。また、ＲＡＭ１２には、ＣＰＵ１１による処理に必要な各種データが格納される。
【００２１】
バス１５に接続されている周辺機器としては、ハードディスクドライブ（ＨＤＤ：Hard Disk Drive）１３および通信インタフェース１４がある。ＨＤＤ１３は、コンピュータ１０の二次記憶装置として使用される。ＨＤＤ１３には、ＯＳのプログラム、アプリケーションプログラムおよび各種データが格納される。各種データには、事前投票確認端末２から送信された投票カードの投票データとその投票データに割り当てられた予約番号とがあり、ＨＤＤ１３には、投票データと予約番号とを関連付けて記憶されている。通信インタフェース１４は、ハブ４に接続され、投票端末３および事前投票確認端末２と相互に通信を行う。
【００２２】
以上のようなハードウェア構成によって、投票サーバ１を構成するコンピュータ１０の処理機能を実現することができる。なお、図２には、投票サーバ１を２台のコンピュータ１０で構成した例を示したが、この構成に限定されるものではない。
【００２３】
図３は事前投票確認端末のハードウェア構成例を示す図、図４は事前投票確認端末の外装イメージの図である。
事前投票確認端末２は、以下のハードウェア構成によって、事前投票確認処理機能を実現することができる。すなわち、事前投票確認端末２は、この装置全体を制御するＣＰＵ２１を有している。ＣＰＵ２１には、バス２８を介してＲＡＭ２２と複数の周辺機器が接続されている。
【００２４】
ＲＡＭ２２は、事前投票確認端末２の主記憶装置として使用される。ＲＡＭ２２には、ＣＰＵ２１に実行させるＯＳのプログラムやアプリケーションプログラムの少なくとも一部が一時的に格納される。また、ＲＡＭ２２には、ＣＰＵ２１による処理に必要な各種データが格納される。
【００２５】
バス２８に接続されている周辺機器としては、ＨＤＤ２３、液晶ディスプレイ２４、ＱＲ（Quick Response、ＱＲコードは登録商標）券発行部２５、通信インタフェース２６および投票カード読取部２７がある。ＨＤＤ２３は、事前投票確認端末２の二次記憶装置として使用される。ＨＤＤ２３には、ＯＳのプログラム、アプリケーションプログラムおよび各種データが格納される。
【００２６】
液晶ディスプレイ２４は、主に、事前投票確認端末２による確認の結果、投票カードの記入ミスを発見したときに、その記入ミスの内容を表示する。ＱＲ券発行部２５は、事前投票確認端末２による確認によって投票カードの記入に問題がない場合に、マトリックス型二次元コードであるＱＲデータ（二次元コードデータ）を紙媒体に印刷したＱＲ券（二次元コードデータ券）を発券する。ここで、ＱＲデータは、投票サーバ１が投票データの有効性を確認したときに投票券購入の仮予約を受け付けたことを表す予約番号のデータである。
【００２７】
通信インタフェース２６は、ハブ４に接続され、投票サーバ１と相互に通信を行う。投票カード読取部２７は、投票カードに記入されたマークを読み取る光学式マーク読取装置である。この投票カード読取部２７によって読み取られた投票データは、ＣＰＵ２１に送られ、記入内容のチェックが行われる。
【００２８】
以上の内部構成を有する事前投票確認端末２は、図４に示したような外装を有している。すなわち、事前投票確認端末２は、その正面の上部に液晶ディスプレイ２４が配置され、正面中央部に投票カード読取部２７の投票カード挿入口２７ａが配置され、正面右下にＱＲ券発行部２５のＱＲ券排出口２５ａが配置されている。
【００２９】
この事前投票確認端末２では、記入済みの投票カードを投票カード挿入口２７ａに挿入すると、投票カード読取部２７が投票カードのマークを読み取り、そのマークが投票カードの所定の位置に記載されているかどうかをチェックする。投票カードの最低限記入すべき位置にマークが記入されていない場合、投票カード読取部２７は、投票カードを排出するとともに液晶ディスプレイ２４にその記入ミスの原因を表示する。ファンは、その液晶ディスプレイ２４に表示されたメッセージにしたがって記入ミスを修正することになる。この事前投票確認端末２でのチェックが終了し、投票カード読取部２７によって読み取られた投票データに基づく投票サーバ１での仮予約が終了すると、仮予約のＱＲ券２５ｂがＱＲ券排出口２５ａから排出される。
【００３０】
図５は投票端末のハードウェア構成例を示す図、図６は投票端末の外装イメージの図である。
投票端末３は、ＣＰＵ３１によって装置全体が制御されている。ＣＰＵ３１には、バス３７を介してＲＡＭ３２と複数の周辺機器が接続されている。
【００３１】
ＲＡＭ３２は、投票端末３の主記憶装置として使用される。ＲＡＭ３２には、ＣＰＵ３１に実行させるＯＳのプログラムやアプリケーションプログラムの少なくとも一部が一時的に格納される。また、ＲＡＭ３２には、ＣＰＵ３１による処理に必要な各種データが格納される。
【００３２】
バス３７に接続されている周辺機器としては、ＨＤＤ３３、グラフィック処理部３４、入出力インタフェース３５および通信インタフェース３６がある。
ＨＤＤ３３は、投票端末３の二次記憶装置として使用される。ＨＤＤ３３には、ＯＳのプログラム、アプリケーションプログラムおよび各種データが格納される。なお、二次記憶装置としては、フラッシュメモリなどの半導体記憶装置を使用することもできる。
【００３３】
グラフィック処理部３４には、ディスプレイ４１および管理者用ディスプレイ４２が接続されている。グラフィック処理部３４は、ＣＰＵ３１からの命令に従って、画像をディスプレイ４１および管理者用ディスプレイ４２の画面に表示させる。
【００３４】
入出力インタフェース３５には、タッチパネル４３、管理者用タッチパネル４４、投票カード読取ユニット４５、紙幣還流ユニット４６、硬貨還流ユニット４７、投票券印刷ユニット４８、払戻投票券読取ユニット４９、ＱＲ読取ユニット５０およびＣＤ−ＲＯＭ５１が接続されている。
【００３５】
タッチパネル４３および管理者用タッチパネル４４は、それぞれディスプレイ４１および管理者用ディスプレイ４２の画面に配置され、タッチされた位置の座標を検出してＣＰＵ３１に送信する。投票カード読取ユニット４５は、投票カードに記入されたマークを読み取る光学式マーク読取装置である。この投票カード読取ユニット４５によって読み取られた投票データは、ＣＰＵ３１に送信される。
【００３６】
紙幣還流ユニット４６および硬貨還流ユニット４７は、投票券を購入するときに投入された紙幣および硬貨を取り扱う装置である。紙幣還流ユニット４６および硬貨還流ユニット４７に投入された紙幣および硬貨のデータは、ＣＰＵ３１に送信される。紙幣還流ユニット４６および硬貨還流ユニット４７は、また、ＣＰＵ３１の指示に従って収納された紙幣および硬貨を釣銭として再利用される。
【００３７】
投票券印刷ユニット４８は、投票券を発行するときに投票データを紙媒体に印刷するプリンタであり、投票券を販売するときにはＣＰＵ３１の指示に従って投票データを印刷した投票券を発行する。払戻投票券読取ユニット４９は、購入した投票券が的中しているかどうかを調べたり、的中した投票券の払い戻しを受けたりする場合に用いられる。払戻投票券読取ユニット４９が読み取った投票券の投票データは、ＣＰＵ３１に送信される。
【００３８】
ＱＲ読取ユニット５０は、事前投票確認端末２のＱＲ券発行部２５によって発行されたＱＲ券２５ｂを読み取るのに使用される。ＱＲ読取ユニット５０が読み取ったＱＲ券２５ｂの予約番号のデータは、ＣＰＵ３１に送信される。この読み取られたＱＲデータは、ＣＰＵ３１に送信される。ＣＤ−ＲＯＭ５１は、レーザ光などを利用して、光ディスクに記録されたデータの読み取りを行う。
【００３９】
通信インタフェース３６は、ハブ４に接続され、投票端末３を投票サーバ１と相互に通信できるネットワークを構成している。
以上のようなハードウェア構成によって、投票端末３の処理機能を実現することができる。
【００４０】
以上の内部構成を有する投票端末３は、図６に示したような外装を有している。すなわち、投票端末３は、その接客面側に投票券投出入口４８ａ、投票カード投出入口４５ａ、紙幣投出入口４６ａ、硬貨投入口４７ａ、硬貨排出口４７ｂ、ディスプレイ４１、タッチパネル４３およびＱＲ読取ユニット５０が配置されている。
【００４１】
投票券投出入口４８ａは、投票券印刷ユニット４８および払戻投票券読取ユニット４９と関連され、印刷された投票券が発券される投出口である。また、この投票券投出入口４８ａに投入された投票券は、払戻投票券読取ユニット４９に搬送される。
【００４２】
投票カード投出入口４５ａは、投票カードの投入口であり、また返却する投票カードの投出口である。なお、ここでは、投票カードの投出口と投票カードの投入口とを一体に設けたが、別体とすることもできる。
【００４３】
紙幣投出入口４６ａは、紙幣の投入口であり、また、返却または釣銭として紙幣を払い出す紙幣の投出口である。なお、ここでは、紙幣の投出口と紙幣の投入口を一体に設けたが、別体とすることもできる。硬貨投入口４７ａは、硬貨の投入口である。硬貨排出口４７ｂは、返却または釣銭として硬貨を排出する排出口である。
【００４４】
ディスプレイ４１は、ファンに操作案内、レース案内、投票カードの投票情報などを表示させる情報表示装置である。タッチパネル４３は、ディスプレイ４１の表面に位置し、ディスプレイ４１が表示する画像を透過させて、画像に対応する部分をタッチすることにより、情報表示切替、投票券購入、投票情報修正などの入力操作を行うことができる。
【００４５】
ＱＲ読取ユニット５０は、ディスプレイ４１の周辺（たとえば横）に配置されており、この上部にＱＲ券２５ｂをかざすことによってＱＲ券２５ｂに印刷されたＱＲデータから登録番号を読み取ることができる。
【００４６】
次に、このトータリゼータシステムの作用について説明する。まず、事前投票確認端末２によって記入ミスの事前チェックを受ける投票カードについて説明する。ここでは、投票カードの一例として、記入項目を必要最低限とした投票カードを例示する。
【００４７】
図７は投票カードの記入例を示す図であって、（Ａ）は記入ミスがなく記入された投票カードの例を示し、（Ｂ）は記入ミスのある投票カードの例を示している。
投票カード６１は、図７（Ａ）に示したように、場名欄６２、レース番号欄６３、式別欄６４、１着欄６５、金額欄６６、単位欄６７などが設定されている。場名欄６２は、レースが開催されている場を指定し、レース番号欄６３は、投票するレースの順番を示す番号を指定する。式別欄６４は、投票券の種類であって単勝、複勝、枠連複、枠連単、普馬複、馬連単、ワイド、３連複および３連単がある。１着欄６５は、１着となる馬の番号を指定する。金額欄６６は、購入する金額の数字を指定し、単位欄６７には、単位を指定する。
【００４８】
ここで、事前投票確認端末２は、図７（Ａ）に示した投票カード６１の記入欄に正しく記入されているかどうかまたは記入すべき欄が未記入かどうかを判断する。たとえば、図７（Ｂ）に示した投票カード６１では、場名欄６２に場名が複数記入されている。また、１着欄６５には、式別が「単勝」（１着を予想）であるのに対して、１着・２着が記入されている。そして、単位欄６７は、単位が未記入となっている。このような記入ミスがある場合、事前投票確認端末２は、投票カード６１を返却するとともに、液晶ディスプレイ２４に具体的な記入ミスの内容を示すメッセージが表示される。上記の記入ミスの例では、液晶ディスプレイ２４に、たとえば「場名に記入ミスがあります。」、「買い目に記入ミスがあります。」、「単位が未記入です。」などのメッセージが表示される（図４参照）。
【００４９】
図８はトータリゼータシステムが投票券を発売するまでの処理の流れを示したフロー、図９は電文項目の例であって、（Ａ）はＱＲデータ生成用投票データの例を示し、（Ｂ）は予約済ＱＲデータの例を示し、（Ｃ）は予約確認データの例を示している。
【００５０】
ファンが投票券を購入するときには、図８に示したように、まず、ファンは、記載台５などにおいて、投票カード６１に場名、レース番号、式別、組番、金額および単位を記入する（ステップＳ１１）。ファンは、記入された投票カードを事前投票確認端末２の投票カード挿入口２７ａに挿入する（ステップＳ１２）。
【００５１】
事前投票確認端末２では、挿入された投票カード６１は、投票カード読取部２７によって場名欄６２が読み取られ、読み取られた投票データは、ＣＰＵ２１に送信される。ＣＰＵ２１は、場名欄６２に複数の場名の記入があるかまたは未記入であるかをチェックする（ステップＳ１３）。ここで、場名欄６２に複数の場名の記入があるかまたは未記入である場合（問題ありの場合）、ＣＰＵ２１は、投票カード６１を返却するとともに、場名欄６２に記入ミスがある旨のメッセージを液晶ディスプレイ２４に表示させる。
【００５２】
ステップＳ１３のチェックにおいて場名欄６２の記入が正しいと判断された場合（問題なしの場合）、ＣＰＵ２１は、レース番号欄６３に複数のレース番号の記入があるかまたは未記入であるかをチェックする（ステップＳ１４）。ここで、レース番号欄６３に複数のレース番号の記入があるかまたは未記入である場合（問題ありの場合）、ＣＰＵ２１は、投票カード６１を返却するとともに、レース番号欄６３に記入ミスがある旨のメッセージを液晶ディスプレイ２４に表示させる。
【００５３】
ステップＳ１４のチェックにおいてレース番号欄６３の記入が正しいと判断された場合（問題なしの場合）、ＣＰＵ２１は、式別欄６４に複数の式別の記入があるかまたは未記入であるかをチェックする（ステップＳ１５）。ここで、式別欄６４に複数の式別の記入があるかまたは未記入である場合（問題ありの場合）、ＣＰＵ２１は、投票カード６１を返却するとともに、式別欄６４に記入ミスがある旨のメッセージを液晶ディスプレイ２４に表示させる。
【００５４】
ステップＳ１５のチェックにおいて式別欄６４の記入が正しいと判断された場合（問題なしの場合）、ＣＰＵ２１は、１着欄６５以外に組番の記入があるかまたは１着欄６５が未記入であるかをチェックする（ステップＳ１６）。ここで、１着欄６５以外に組番の記入があるかまたは１着欄６５が未記入である場合（問題ありの場合）、ＣＰＵ２１は、投票カード６１を返却するとともに、組番の記入にミスがある旨のメッセージを液晶ディスプレイ２４に表示させる。
【００５５】
ステップＳ１６のチェックにおいて組番の記入が正しいと判断された場合（問題なしの場合）、ＣＰＵ２１は、金額欄６６に複数の金額の記入があるかまたは未記入であるかをチェックする（ステップＳ１７）。ここで、金額欄６６に複数の金額の記入があるかまたは未記入である場合（問題ありの場合）、ＣＰＵ２１は、投票カード６１を返却するとともに、金額欄６６に記入ミスがある旨のメッセージを液晶ディスプレイ２４に表示させる。なお、ここでは図示を省略したが、金額欄６６のチェックの後に単位欄６７に複数の単位の記入があるかまたは未記入であるかのチェックも行われる。
【００５６】
ステップＳ１６のチェックにおいて金額欄６６の記入が正しいと判断された場合（問題なしの場合）、ＣＰＵ２１は、通信インタフェース２６を介して投票サーバ１に投票データを送信する（ステップＳ１８）。この投票データには、図９（Ａ）に示したように、電文名、場名、レース番号、式別、組番（１着）、組番（２着）、組番（３着）、金額、単位および事前投票確認端末名のデータが含まれている。
【００５７】
投票サーバ１では、その通信インタフェース１４が事前投票確認端末２からの投票データを受信すると、その投票データは、ＣＰＵ１１に送信される。ＣＰＵ１１は、その投票データが有効であるか無効であるかのチェックを行う（ステップＳ１９）。
【００５８】
ここで、投票データの中で、たとえば、レースが開催されていない場名が記入されているなどで投票データが無効である場合（問題ありの場合）、ＣＰＵ２１は、通信インタフェース１４を介して事前投票確認端末２に投票データが無効である旨を通知する。投票データが無効である旨の通知を受けた事前投票確認端末２では、そのＣＰＵ２１が事前確認の処理を中止し（ステップＳ２０）、投票カード６１を返却するとともに、投票データが無効である旨のメッセージを液晶ディスプレイ２４に表示させる。このとき、投票サーバ１から、投票データが無効となった理由が一緒に通知されている場合には、その理由が液晶ディスプレイ２４に表示される。
【００５９】
ステップＳ１９のチェックにおいて投票データが有効である場合（問題なしの場合）、ＣＰＵ１１は、事前投票確認端末２から通知された投票データに予約番号を関連付けし、その予約番号からＱＲデータを生成する（ステップＳ２１）。このとき、ＣＰＵ１１は、予約番号と投票データとを関連付けてＨＤＤ１３に予約済データとして格納する。
【００６０】
次に、ＣＰＵ１１は、生成されたＱＲデータを通信インタフェース１４によって事前投票確認端末２に送信する（ステップＳ２２）。このとき、投票サーバ１から事前投票確認端末２に送信されるＱＲデータは、図９（Ｂ）に示した予約済ＱＲデータである。この予約済ＱＲデータは、ＱＲデータ化された予約番号および受付締切日時のデータを含んでいる。
【００６１】
事前投票確認端末２では、その通信インタフェース２６が受信したＱＲデータをＣＰＵ２１に送信し、ＣＰＵ２１は、ＱＲ券発行部２５に指示して予約済ＱＲデータを紙媒体に印刷する（ステップＳ２３）。ＱＲ券発行部２５は、印刷されたＱＲ券２５ｂをＱＲ券排出口２５ａから発券する（ステップＳ２４）。このとき、ＱＲ券２５ｂには、たとえば図４に示されるように、発行日時、投票内容、ＱＲデータおよび受付締切日時のデータが印刷される。
【００６２】
ファンは、発券されたＱＲ券２５ｂを近くの投票端末３に持参する。ここで、ユーザは、投票端末３に現金を投入し、続いて、ＱＲ券２５ｂをＱＲ読取ユニット５０にかざす（ステップＳ２５）。これにより、ＱＲ読取ユニット５０は、ＱＲ券２５ｂからＱＲデータを読み取り、デコードして予約番号を取得する。ＣＰＵ３１は、その予約番号を投票サーバ１に送信する（ステップＳ２６）。このとき、投票サーバ１に送信される予約番号は、図９（Ｃ）に示した予約確認データである。
【００６３】
投票サーバ１において、その通信インタフェース１４が予約番号を受信すると、ＣＰＵ１１は、ＨＤＤ１３に格納されている予約済データを参照し、予約番号の照合を行う（ステップＳ２７）。予約済データの中に投票端末３から通知された予約番号があれば、ＣＰＵ１１は、その予約番号に関連付けられた投票データを読み出して投票端末３に送信する（ステップＳ２８）。
【００６４】
投票端末３では、ＣＰＵ３１は、投票サーバ１が送信した投票データを受信すると、投票券印刷ユニット４８に指示して投票データを紙媒体に印刷し、投票券を発券する（ステップＳ２９）。ファンは、その発券された投票券を受け取ることになる（ステップＳ３０）。
【００６５】
このように、投票端末３で投票券を購入するときには、事前投票確認端末２で投票カードの記入内容を含む投票データのチェックがすべて完了しているので、投票カードの記入ミスがあったときにファンが占有していた投票端末３の接客時間をなくすことができる。また、投票端末３では、投票カードを搬送部が取り込みながら投票データを読み取る投票カード読取ユニット４５ではなく、ＱＲ券のＱＲデータを一瞬で読み取るＱＲ読取ユニット５０を使用するので、投票券を購入する時間をさらに短縮することができる。これにより、レース開始直前のように締切間近で混雑している場合でも、投票端末３をスムーズに運用することができる。
【００６６】
上記については単に本発明の原理を示すものである。さらに、多数の変形、変更が当業者にとって可能であり、本発明は上記に示し、説明した正確な構成および応用例に限定されるものではない。対応するすべての変形例および均等物は、添付の請求項およびその均等物による本発明の範囲とみなされる。たとえば、上記の実施の形態では、事前投票確認端末２を１台しか示していないが、実際の設置場所では、複数台設置されている。また、事前投票確認端末２から投票端末３に渡す予約番号のデータとしてマトリックス型二次元コードであるＱＲデータを使用しているが、一次元バーコードを用いることができる。
【符号の説明】
【００６７】
１  投票サーバ
２  事前投票確認端末
３  投票端末
４  ハブ
５  記載台
１０  コンピュータ
１１  ＣＰＵ
１２  ＲＡＭ
１３  ＨＤＤ
１４  通信インタフェース
１５  バス
２１  ＣＰＵ
２２  ＲＡＭ
２３  ＨＤＤ
２４  液晶ディスプレイ
２５  ＱＲ券発行部
２５ａ  ＱＲ券排出口
２５ｂ  ＱＲ券
２６  通信インタフェース
２７  投票カード読取部
２７ａ  投票カード挿入口
２８  バス
３１  ＣＰＵ
３２  ＲＡＭ
３３  ＨＤＤ
３４  グラフィック処理部
３５  入出力インタフェース
３６  通信インタフェース
３７  バス
４１  ディスプレイ
４２  管理者用ディスプレイ
４３  タッチパネル
４４  管理者用タッチパネル
４５  投票カード読取ユニット
４５ａ  投票カード投出入口
４６  紙幣還流ユニット
４６ａ  紙幣投出入口
４７  硬貨還流ユニット
４７ａ  硬貨投入口
４７ｂ  硬貨排出口
４８  投票券印刷ユニット
４８ａ  投票券投出入口
４９  払戻投票券読取ユニット
５０  ＱＲ読取ユニット
５１  ＣＤ−ＲＯＭ
６１  投票カード
６２  場名欄
６３  レース番号欄
６４  式別欄
６５  １着欄
６６  金額欄
６７  単位欄
【図１】
2019095824.tif 000003
【図２】
2019095824.tif 000004
【図３】
2019095824.tif 000005
【図４】
2019095824.tif 000006
【図５】
2019095824.tif 000007
【図６】
2019095824.tif 000008
【図７】
2019095824.tif 000009
【図８】
2019095824.tif 000010
【図９】
2019095824.tif 000011
【図１０】
2019095824.tif 000012